(57)【要約】      （修正有）【課題】付近の第三者が直感的に対象者の健康状態を視認しうる健康状態判別用表示器具を提供する。【解決手段】人の体温を感知する検知部２と、検知された温度に基づいて正常状態と発熱状態を第三者が可視的に判別可能なように段階的に表示する段階的表示部３と、を備えた健康状態判別用表示器具１であって、検知部２は検知部位に固定する係止部４とセンサー５と検知結果を着用表示部に送信する送信部６を備え、段階的表示部３は検知部から送信された検知結果に基づき、検知された温度が正常範囲から発熱状態までのいずれの段階に応じて視覚的な判別が可能となるよう、段階的な表示としたものである。【選択図】図１
0003227319.tif 000002
【実用新案登録請求の範囲】
【請求項１】
人の体温を感知する検知部と、検知された温度に基づいて正常状態と発熱状態を第三者が可視的に判別可能なように段階的に表示する段階的表示部と、を備えた健康状態判別用表示器具であって、
検知部は検知部位に固定する係止部とセンサーと検知結果を着用表示部に送信する送信部を備え、
段階的表示部は検知部から送信された検知結果に基づき、検知された温度が正常範囲から発熱状態までのいずれの段階に応じて視覚的な判別が可能となるよう、段階的な表示としたものであること、
を特徴とする、健康状態判別用表示器具。
【請求項２】
段階的な表示は、温度に応じて多段階あるいは無段階に変化する、色もしくはグラフの伸びの変化で視覚的に表現したものであることを特徴とする、請求項１に記載の健康状態判別用表示器具。
【請求項３】
着用表示部がヘルメット、帽子等の被り物の外表面に設けられていることを特徴とする、請求項１または２に記載の健康状態判別用表示器具。
【請求項４】
着用表示部が名札やＩＤカードの券面上に設けられていることを特徴とする、請求項１または２に記載の健康状態判別用表示器具。
【請求項５】
さらに体温の値を表示する値表示部を備えた、請求項１から４のいずれか１項に記載の健康状態判別用表示器具。
【請求項６】
さらに段階的な表示及び体温の値を携帯端末や管理端末上でも表示可能としたことを特徴とする請求項１から５のいずれか１項に記載の健康状態判別用表示器具。
【考案の詳細な説明】
【技術分野】
【０００１】
この考案は検知した人の体温を外部に表示させることで第三者が視覚的に対象者の健康状態を把握しうる健康状態判別用表示器具に関する。とりわけ、建設現場等での工事作業中や、運動時における熱中症等のような変化する健康状態の把握がしやすい健康状態判別用表示器具に関する。
【背景技術】
【０００２】
従来、体温の測定には、旧来の水銀体温計、サーミスタ方式の電子体温計、赤外線放射熱を利用した赤外式体温計、による測定が行われている。
【０００３】
また、空港や駅等、人が大量に出入りする場所では、発熱者のスクリーニングのために体表温を赤外線サーモグラフフィで測定するなどしている。
たしかにリアルタイムに体表温が計測されることから、スクリーニングが簡単で接触もせずに計測することができる。しかし、装置が大がかりであり、設置場所もゲート付近に限られるなどするため、リアルタイムに計測できるといっても、その場所を通りすぎる際に限られる。
【０００４】
体温データを無線通信により生体情報表示装置に送信する器具も存在するが、病院の病室内での静的な使用を前提としており、表示装置は固定された状態で用いられる大がかりな装置である。
【先行技術文献】
【特許文献】
【０００５】
【特許文献１】特開２０１８−７５２２１号公報
【考案の概要】
【考案が解決しようとする課題】
【０００６】
本考案が解決しようとする課題は、人の体温を近くにいる人が視覚的に直感的に把握して発熱の有無を判別しうるための簡便な表示器具を提供することである。付近の第三者が直感的に健康状態を視認しうる器具の提供である。
【０００７】
たとえば、人は作業をすることで発熱し、また水分が不足するなどして熱中症の症状を呈することもあるなど、作業によって体の状態が変化することがある。また、インフルエンザやその他の疾病の症状悪化により発熱する場合もある。そして、入り口のゲートを通過する際や、就業時の点呼の際には体温も正常で健康であったとしても、作業中に熱中症となったり具合が悪くなることも多い。そうした作業中には、近くにいる作業者以外に、その者の状態に気がつける者がいないのが実情である。
【０００８】
また、人の体温は常時一定ではなく、時間によって変化するほか、ゲート通過時だけ意図的に体温測定時の体温を都合よく変化させる（一次的に冷やすなど。）こともできる。そこで、変化する状態をそのときそのときに把握しうる手段が望まれている。
【課題を解決するための手段】
【０００９】
上記の課題を解決するための本考案の第１の手段は、人の体温を感知する検知部と、検知された温度に基づいて正常状態と発熱状態を第三者が可視的に判別可能なように段階的に表示する段階的表示部と、を備えた健康状態判別用表示器具であって、検知部は検知部位に固定する係止部とセンサーと検知結果を着用表示部に送信する送信部を備え、段階的表示部は検知部から送信された検知結果に基づき、検知された温度が正常範囲から発熱状態までのいずれの段階に応じて視覚的な判別が可能となるよう、段階的な表示としたものであること、を特徴とする、健康状態判別用表示器具である。
【００１０】
その第２の手段は、段階的な表示は、温度に応じて多段階あるいは無段階に変化する、色もしくはグラフの伸びの変化で視覚的に表現したものであることを特徴とする、第１の手段に記載の健康状態判別用表示器具である。
【００１１】
その第３の手段は、着用表示部がヘルメット、帽子等の被り物の外表面に設けられていることを特徴とする、第１または第２の手段に記載の健康状態判別用表示器具である。
【００１２】
その第４の手段は、着用表示部が名札やＩＤカードの券面上に設けられていることを特徴とする、第１または第２のいずれか１の手段に記載の健康状態判別用表示器具である。
【００１３】
その第５の手段は、さらに体温の値を表示する値表示部を備えた、第１から第４のいずれか１の手段に記載の健康状態判別用表示器具である。
【００１４】
その第６の手段は、さらに段階的な表示及び体温の値を携帯端末や管理端末上でも表示可能としたことを特徴とする第１から第５のいずれか１の手段に記載の健康状態判別用表示器具である。
【考案の効果】
【００１５】
本考案は、計測された人の体温を、第三者が視認しやすい位置に直感的にわかりやすいグラフや色信号で表示させることができるので、その場で体調の変化に気がつくことが容易にできる簡便な器具となっている。常時体温を計測することができ、頭部や胴体に表示させた色やバーの段階的な変化を視認するだけで見た者が直感的に具合の変化に気がつくことができる。
【００１６】
また、体温の数値を知りたければその値を知ることもできる。さらに本人が携帯するウェアラブル端末に表示させることで本人に知らせることもできる。また携帯端末や管理者の端末上にも体温の状態を通知、表示させることで、その場から離れている者にも知らせることができる。
【００１７】
本考案によると、自分で体温を計って自己体調管理をするにとどまらず、付近の人にも平熱であることを視覚的直感的にアピールすることができるので、周囲の人に安心感を与えることができ、健康状態を周囲の者が簡易に判別して認識することができる。
【図面の簡単な説明】
【００１８】
【図１】本考案の健康状態判別用表示器具の検知部と段階的表示部の模式図である。
【考案を実施するための形態】
【００１９】
本考案を実施するための形態を適宜図面を参照しつつ以下に説明する。図１には本考案の健康状態判別用表示器具１の検知部２と段階的表示部３の一例を示している。検知部２はベルト状であり、センサー５を内側にして、頭部や胸部や腕に巻き付けて、係止部４の平面ファスナーで係止して使用する。なお、係止部は、平面ファスナーに限らないので、全体が伸縮しうるゴムバンドであったり、テープで貼り付けるものであってもよい。測定された結果、体温が高ければ、段階的表示部３のＬＥＤ８のインジケータが緑、黄、赤の３色で点灯しうるところ、赤色のＬＥＤ８が点灯する。段階的表示部３は、クリップなどで衣服やヘルメットなどに挟持させることとしてもよいが、これに限らず適宜固定できる器具を設けてもよい。
【００２０】
検知部２の体温センサー５は、検知部位である腕、脇、首、額などに直接当接させて計測するサーミスタや熱電対などを用いることができる。あるいは非接触な赤外線放射温度計のいずれのセンサーであってもよい。検知部２はたとえば、ベルトの表面に設けたセンサー５を検知部位に向けて体に巻き付け、係止部４の平面ファスナーで適切に係止することで、作業中も体温を検出することができる。検出された体温は送信部６（たとえば、センサー５の背面の基盤内に設けるなどする。）を通じて段階的表示部３へと送信される。
【００２１】
送信部６の信号は有線以外に無線信号を用いて送信することができる。無線の場合、たとえばＢｌｕｅｔｏｏｔｈ（登録商標）規格やＷｉ−Ｆｉの一般的な通信規格などに基づいた送信手段を用いることができる。ワイヤレスにすると、携帯端末７やウェアラブル端末等にも送信が容易となるので、操作確認の手段として実装しやすいものとなる。そこで、測定した本人のみならず、周囲の者や管理者などの端末にも、簡易に測定結果を通知させることができ、確認しやすいものとなる。
【００２２】
段階的表示部３における段階的な表示手段としては、第三者が直感的に視認しうるように、色信号や色の使い分けによる表示分けや、棒グラフの表示などを用いることができる。たとえば、温度に応じて正常範囲を緑色、やや高い温度状態を注意を促す黄色、発熱状態を赤色でＬＥＤにより発光表示させるものとし、３色のＬＥＤ８の発光により視覚的に把握しうるものとする。あるいは、棒グラフを液晶画面中に表示するようにして、温度が高いと棒の長さが長くなるようにすることで、直感的に温度がわかるようにしたり、さらに棒グラフの棒の色が温度に応じて緑から赤に変わるようにしておくこともできる。あるいは、棒状にインジケータのランプの点灯数を増やす仕組みでもよい。こうした段階的表示部３による視覚的確認手段を用いると、直感的に体温の異常が第三者からわかるものとなる。
【００２３】
段階的表示部３の設置場所は、検知対象となる者の頭部や胸部、あるいは背部に第三者から視認可能なように設置するものとするとよい。たとえば、ヘルメットの正面あるいは背面、上着の名札やＩＤカード上、あるいは服の背中などに、配置する。
【００２４】
さらに、作業などに従事している場合には、本人は第三者と正対するとは限らないので、近くにいる第三者が作業している本人を眺めたときに気がつく位置、たとえばヘルメットの後頭部や背中などに段階的表示部３を設置することでもよい。
【００２５】
また、具体的な体温の値を液晶表示でこれらのインジケータの隣にデジタル表示部７に値として表示させてもよい。遠目にＬＥＤや棒グラフの表示で直感的に異常ありと認識できれば、あとは近づいて具体的な体温の値を確認することができることができれば便宜といえる。こうしたデジタル表示はＬＥＤ８と一体でなく、離れた位置にあってもよい。
【符号の説明】
【００２６】
１  健康状態判別用表示器具
２  検知部
３  段階的表示部
４  係止部
５  センサー
６  送信部
７  デジタル表示部
８  ＬＥＤ
【図１】
0003227319.tif 000003